(57)【要約】【課題】光軸調整をせずに高速伝送ができる、空間光伝送用の受光モジュールを提供する。【解決手段】光が入射する入射端面と、内部を伝播した光を出射する、入射端面に対向し入射端面より狭い面積を有する出射端面とを有し、入射端面と出射端面を結ぶ所定の軸３から、軸３に対して実質上垂直な面方向に、離れるにしたがって段階的または連続的に屈折率が減少し、かつ、入射端面よりも出射端面に近いほど、それらの屈折率の減少の程度が大きい屈折率分布を有する集光体８と、集光体８の出射端面に近接して配置され、その出射端面から出射される光を受光する受光素子４とを備える。【選択図】図１
2007214292.tif 000002
【特許請求の範囲】
【請求項１】
光が入射する入射端面と、内部を伝播した光を出射する、前記入射端面に対向し前記入射端面より狭い面積を有する出射端面とを有し、前記入射端面と前記出射端面を結ぶ所定の軸から、前記軸に対して実質上垂直な面方向に、離れるにしたがって段階的または連続的に屈折率が減少し、かつ、前記入射端面よりも前記出射端面に近いほど、前記屈折率の減少の程度が大きい屈折率分布を有する集光体と、
前記出射端面に近接して配置され、前記出射端面から出射される光を受光する受光素子と、を備えた受光モジュール。
【請求項２】
前記集光体内の前記軸上の各点における屈折率は実質上同一であり、
前記集光体の外周面の屈折率は実質上同一である、請求項１に記載の受光モジュール。
【請求項３】
前記軸から実質上垂直な面方向に離れるにしたがって減少する屈折率の減少の程度は、放物線状である、請求項１に記載の受光モジュール。
【請求項４】
前記放物線の傾き（１次導関数）は、高次関数的または指数関数的に変化する、請求項３に記載の受光モジュール。
【請求項５】
前記集光体内の前記軸上の各点における屈折率は実質上同一であり、
前記軸から離れた位置においては、軸方向に連続的に屈折率が変化している、請求項１に記載の受光モジュール。
【請求項６】
前記集光体内の前記軸上の各点における屈折率は実質上同一であり、
前記軸から離れた位置においては、軸方向に段階的に屈折率が変化している、請求項１に記載の受光モジュール。
【請求項７】
前記集光体の前記軸に実質上垂直な断面は、それぞれが前記軸を中心とする円形状の複数の層で構成されており、
前記各層は、それぞれ異なった一様な屈折率を有しており、
前記軸から遠い層ほど前記一様な屈折率が小さい、請求項１に記載の受光モジュール。
【請求項８】
前記集光体は、回転体であり、
前記入射端面および／または前記出射端面に近接し、そのレンズ光軸が前記集光体の前記軸に実質上重なるように配置される凸レンズを備えた、請求項１に記載の受光モジュール。
【請求項９】
前記集光体は、屈折率が変化する屈折率分布を持つ、光を伝搬させるコア部であり、
前記コア部の周囲に接して、一様な屈折率を持つクラッド部が配置されている、請求項１に記載の受光モジュール。
【請求項１０】
前記集光体の前記入射端面に接して、または、前記出射端面と前記受光素子の間に、特定の波長のみを透過するフィルターを備えた、請求項１に記載の受光モジュール。
【請求項１１】
光を発射する発光ユニットと、
請求項１に記載の受光モジュールを有し、他の光空間伝送装置の発光ユニットから発射された光を受光する受光ユニットと、を備えた光空間伝送装置。
【発明の詳細な説明】
【技術分野】
【０００１】
本発明は、光空間伝送に使用される受光モジュールおよび光空間伝送装置に関する。例えば、高速伝送に用いられる受光モジュールおよび光空間伝送装置に関する。
【背景技術】
【０００２】
光空間伝送において送信部と受信部の光軸が合っているのが理想的であるが、現実的には、固定送信部と固定受信部のアライメント不良による静的軸ズレや、送信部と受信部の少なくとも一方が移動（可動）体である場合の動的軸ズレが存在する。軸ズレが発生すると受光レベルの低下によりＳＮ劣化、誤り率の増加による伝送レート低下、送信パワーの増加などの問題が生じる。さらに、高速応答する受光素子になるほど受光面積が小さくなるので、軸ズレの影響が顕著となる。
【０００３】
送信部と受信部の軸ズレ防止としては送信部と受信部の少なくとも一つを機械制御することで、軸ズレ発生時に光軸合わせをする方法がある（例えば、特許文献１参照）。
【０００４】
また、可動部が不要で、ラッパ形状の集光器を含む光アンテナを用い、軸ズレ光を側面の全反射により受光素子に導くことで受光部の許容指向角を広げたものもある（例えば、特許文献２参照）。
【０００５】
図８（ａ）は、特許文献２に開示されている光アンテナの側面図を示している。
【０００６】
光アンテナ２００は、光信号を検出するための光検出器２２０と、光信号が入力される第１の端２１０ａから光検出器２２０に接する第２の端２１０ｂの側になるほど、その幅が狭くなる集光器２１０とを備えている。
【０００７】
図８（ｂ）は、集光器２１０内の屈折率構成を説明する図である。集光器２１０は、複数の屈折率層２１１−１〜２１１−ｎを含んで構成されている。これらの屈折率層２１１−１〜２１１−ｎは、第１の端２１０ａから第２の端２１０ｂになるほど、その屈折率が増加するように配置されている。したがって、集光器２１０に入射された光信号は、集光器２１０の内部の屈折率層２１１−１〜２１１−ｎによって、光検出器２２０側に移動するにつれて順次に屈折する。
【０００８】
集光器２１０は、第１の端２１０ａから第２の端２１０ｂまでの幅が徐々に狭くなるとともに、第１の端２１０ａから第２の端２１０ｂまで次第に屈折率が大きくなるような屈折率層２１１−１〜２１１−ｎが設けられているので、集光器２１０に入力された光信号は、光検出器２２０の（境界）表面に対して垂直な角度に近づくように屈折していく。
【０００９】
このような構成にすることにより、入力される光信号の許容可能な受光角度を大きくしている。
【特許文献１】特開昭６２−１８１３５号公報（第１図）
【特許文献２】特開２００５−２１８１０２号公報
【発明の開示】
【発明が解決しようとする課題】
【００１０】
しかしながら、特許文献１に開示されている従来の方法では、機械制御である以上、高速制御を行っても軸ズレ調整時はやはり受光レベルが低下するので高速伝送は不可能である。
【００１１】
それに対して、特許文献２の光アンテナ２００を用いる場合は、機械制御では無く入射光を広い角度で受光できるので、特許文献１で問題となる軸ズレ調整時の受光レベルの低下を低減できる。
【００１２】
しかし、この特許文献２の場合には、Ｓｔｅｐ  Ｉｎｄｅｘ（ＳＩ）型導波路のように側面での全反射により軸ズレ光を受光素子（光検出器２２０）へ導くので、受光角の異なる光が例えば同時に入射するような受光角の角度分布を有する各光線に対しては受光素子までの光路長にバラツキ（モード分散）が生じるため、この場合にも１Ｇｂｐｓ以上の高速伝送は不可能である。
【００１３】
つまり、特許文献２の光アンテナ２００では、光検出器２２０の光軸に対して小さな角度で入射する光に対しては、側面で反射せずに光検出器２２０に到達するが、光検出器２２０の光軸に対して大きな角度で入射する光に対しては、集光器２１０の側面で全反射しながら光検出器２２０の表面に対して垂直な角度に近づくように屈折して進んでいく。そのために、光検出器２２０の光軸に対して小さな角度で入射する光の場合と光路長に差が生じてしまう。したがって、受光角の角度分布を有する各光線については、同時に入射する受光角の異なる光の光検出器２２０までの光路長が異なるので、モード分散が生じてしまう。
【００１４】
本発明は、上述した従来の課題を解決するもので、モード分散を低減して高速伝送が可能な受光モジュールおよび光空間伝送装置を提供することを目的とする。
【課題を解決するための手段】
【００１５】
上述した課題を解決するために、第１の本発明は、
光が入射する入射端面と、内部を伝播した光を出射する、前記入射端面に対向し前記入射端面より狭い面積を有する出射端面とを有し、前記入射端面と前記出射端面を結ぶ所定の軸から、前記軸に対して実質上垂直な面方向に、離れるにしたがって段階的または連続的に屈折率が減少し、かつ、前記入射端面よりも前記出射端面に近いほど、前記屈折率の減少の程度が大きい屈折率分布を有する集光体と、
前記出射端面に近接して配置され、前記出射端面から出射される光を受光する受光素子と、を備えた受光モジュールである。
【００１６】
また、第２の本発明は、
前記集光体内の前記軸上の各点における屈折率は実質上同一であり、
前記集光体の外周面の屈折率は実質上同一である、第１の本発明の受光モジュールである。
【００１７】
また、第３の本発明は、
前記軸から実質上垂直な面方向に離れるにしたがって減少する屈折率の減少の程度は、放物線状である、第１の本発明の受光モジュールである。
【００１８】
また、第４の本発明は、
前記放物線の傾き（１次導関数）は、高次関数的または指数関数的に変化する、第３の本発明の受光モジュールである。
【００１９】
また、第５の本発明は、
前記集光体内の前記軸上の各点における屈折率は実質上同一であり、
前記軸から離れた位置においては、軸方向に連続的に屈折率が変化している、第１の本発明の受光モジュールである。
【００２０】
また、第６の本発明は、
前記集光体内の前記軸上の各点における屈折率は実質上同一であり、
前記軸から離れた位置においては、軸方向に段階的に屈折率が変化している、第１の本発明の受光モジュールである。
【００２１】
また、第７の本発明は、
前記集光体の前記軸に実質上垂直な断面は、それぞれが前記軸を中心とする円形状の複数の層で構成されており、
前記各層は、それぞれ異なった一様な屈折率を有しており、
前記軸から遠い層ほど前記一様な屈折率が小さい、第１の本発明の受光モジュールである。
【００２２】
また、第８の本発明は、
前記集光体は、回転体であり、
前記入射端面および／または前記出射端面に近接し、そのレンズ光軸が前記集光体の前記軸に実質上重なるように配置される凸レンズを備えた、第１の本発明の受光モジュールである。
【００２３】
また、第９の本発明は、
前記集光体は、屈折率が変化する屈折率分布を持つ、光を伝搬させるコア部であり、
前記コア部の周囲に接して、一様な屈折率を持つクラッド部が配置されている、第１の本発明の受光モジュールである。
【００２４】
また、第１０の本発明は、
前記集光体の前記入射端面に接して、または、前記出射端面と前記受光素子の間に、特定の波長のみを透過するフィルターを備えた、第１の本発明の受光モジュールである。
【００２５】
また、第１１の本発明は、
光を発射する発光ユニットと、
第１の本発明の受光モジュールを有し、他の光空間伝送装置の発光ユニットから発射された光を受光する受光ユニットと、を備えた光空間伝送装置である。
【発明の効果】
【００２６】
本発明により、モード分散を低減して高速伝送が可能な受光モジュールおよび光空間伝送装置を提供できる。
【発明を実施するための最良の形態】
【００２７】
以下、本発明の実施の形態を、図面を参照しながら説明する。
【００２８】
（実施の形態１）
図１は、本発明の実施の形態１の受光モジュールの構成概要図を示している。
【００２９】
図１（ａ）は、本実施の形態１の受光モジュールの側面から見た断面図を、図１（ｂ）は、図１（ａ）のＡ−Ｂ断面図を、図１（ｃ）は、伝搬距離ｚとその位置における断面の屈折率分布の関係を、それぞれ示している。
【００３０】
本実施の形態１の受光モジュール９は、屈折率が動径方向に光軸からの距離に従って放物線状に低下し、その動径方向に光軸からの距離に従って低下する屈折率の変化が伝搬方向に沿って大きくになっていき、全ての光軸部分と動径方向円周部との屈折率差が伝播方向にほぼ一定に保存される、屈折率分布を有する集光器を具備している。
【００３１】
本実施の形態１の受光モジュール９は、図１（ａ）に示すように、屈折率分布型集光器８と、屈折率分布型集光器８の光軸３上で、その後方に接して配置される受光素子４とを備えており、光源１から自由空間２で隔てられて配置されている。
【００３２】
屈折率分布型集光器８は、動径方向（ｒ軸）５の屈折率が光軸３からの距離（ｒ）に従って放物線状に中心対称に連続的に単調減少し、かつ、光源１側の入射端から受光素子４側の出射端に向かって伝播方向（ｚ軸）６の屈折率が、前記動径方向の光軸３からの距離（ｒ）に従って放物線状に単調減少する割合（ｇ）が伝搬距離（ｚ）に従って連続的に単調増加する屈折率分布を有している。そして、屈折率分布型集光器８は、図１（ａ）に示すように、光が入射する入射端面よりも受光素子４に接している出射端面の方が面積が狭く、伝播方向に外周半径が単調減少する形状をしており、その屈折率は、全ての動径方向について光軸３上の屈折率と外周縁７上の屈折率の差（屈折率差（Δ））が伝播方向にほぼ一定に保存されるように分布している。すなわち、屈折率分布型集光器８の光軸３上の屈折率は、どの位置においても実質上同一であり、外周縁７部分の屈折率は、どの位置においても実質上同一である。
【００３３】
したがって、屈折率分布型集光器８は、光軸３を軸とする回転体である。
【００３４】
なお、実質上同一の屈折率とは、それらの差が所定の誤差の範囲であり、社会通念上、同一と見做せる範囲の屈折率を言う。
【００３５】
なお、光軸３が、本発明の、入射端面と出射端面を結ぶ所定の軸の一例にあたる。また、動径方向とは、本発明の、所定の軸に対して実質上垂直な面方向の一例である。ここで、実質上垂直とは、社会通念上、垂直と見做せる範囲のものを言う。また、屈折率分布型集光器８が、本発明の集光体の一例であり、外周縁７部分が、本発明の外周部の一例である。
【００３６】
次に、本実施の形態１の屈折率分布型集光器８を使用して、軸ズレ平行入射光１１が受光面積の小さなＰＤ（フォトダイオード）やＡＰＤ（アバランシェ・フォトダイオード）などの受光素子４に集光されるメカニズムを、光線の軌跡（ビーム軌跡）１２を使用して説明する。
【００３７】
まず、屈折率分布型集光器８の入射端（ｚ＝０）から光軸（ｚ）方向のｚ位置における、動径方向に放物線状に変化する屈折率分布は、数１のように表される。
【００３８】
【数１】
2007214292.tif 000003
ｚ位置での光軸からの距離および光軸とのなす角度を、それぞれｒ（ｚ）およびｒ´（ｚ）とすると、光軸方向にｄｚの距離だけ伝播したときの光軸からの距離と光軸とのなす角度は数２で表される。
【００３９】
【数２】
2007214292.tif 000004
そして、伝播方向のｚ位置からｄｚだけ伝播した光軸からの距離は、数３のように変形される。
【００４０】
【数３】
2007214292.tif 000005
数３は入射状態で変化する位相成分を考慮した光線の出射端位置を示している。光線の出射端位置はレンズのような集光を考える場合に必要であるが、本発明では光線の集合体であるビーム径を小さくすることを問題としているので、ビーム端、すなわち光軸からの距離の最大値がわかれば良い。光軸からの距離の最大値は、数３から位相項を取り除いて数４となる。
【００４１】
【数４】
2007214292.tif 000006
数４から、屈折率分布定数ｇ（ｚ）が大きい程ビーム径が小さくなることがわかるので、伝播方向にｇ（ｚ）を大きくすることでビーム径が伝播にしたがって小さくなる。
【００４２】
ところで、数４からだけでは、屈折率分布型集光器を、ｇ（ｚ）がｚに依存しない大きな定数のＧＲＩＮレンズとしても、その屈折率分布型集光器の出射端でのビーム径をＰＤ並みに小さくすることは可能である。しかし、入射端と出射端の面積比で決まるレンズ利得を大きくするには、入射端での受光ビーム径を大きくする必要がある。
【００４３】
一般的に、固体中に屈折率分布を形成させる方法としては、成長過程で組成や構造を変化させたり、置換や化学変化などにより母材の特性を局所的に変化させたり、母材中に異成分を拡散させたりするが、いずれを考えても屈折率の変化量（屈折率差Δ（ｚ））には限界があるので、入射端に必要な大きな形状の場合は屈折率分布定数ｇ（ｚ）は大きくできない。
【００４４】
したがって、入射端で受光面積（πａ(０)２）を大きくし、出射端で出射面積（πａ(Ｌ)２）を小さくするためには、上記した屈折率分布形成プロセスで決まる屈折率差Δに対して、入射端では屈折率分布型集光器の半径ａ(０)を大きくしてｇ（０）を小さくし、出射端では屈折率分布型集光器の半径ａ(Ｌ)を小さくしてｇ（Ｌ）を大きくすれば良い。ただし、屈折率分布型集光器の入射端半径ａ(０)から出射端半径ａ(Ｌ)までの変化は任意で良いが、加工の都合上何らかの関数、例えば、図１（ｃ）に示す１次関数のような多項式関数や指数関数的に小さくなるようにしてよい。
【００４５】
ここで、図１（ａ）に示すように、光源１から自由空間２で隔てられた受光モジュール９に、入射角度θ１０で入射する軸ズレ平行入射光１１を考える。ただし、光源から球面波が出射したとしても、ｍ単位の自由空間の距離に対して受光モジュール９の開口面積が十分に小さい場合には、受光モジュール９に入射するビームは平行光と取り扱える。
【００４６】
受光モジュール９の光軸３上に角度θ（＝ｒ´（０））１０で入射したビームは、図１（ａ）に示すように、一旦は軸ズレ方向へ進むが伝播に従って軸ズレ角度は徐々に小さくなり蛇行しながらやがて光軸３に漸近する。また、入射端の光軸３から軸ズレ方向に離れた位置に入射するビーム端の光線も、一旦は軸ズレ方向へ進むが伝播に従って軸ズレ角度は徐々に小さくなり外周端に到達する前に折り返してやがて光軸３に漸近する。
【００４７】
一方、入射端の光軸３から軸ズレと逆方向に離れた位置に入射するビーム端の光線は、光軸３を交差するように進むが伝播に従って光軸３付近を蛇行しながら光軸３に漸近する。
【００４８】
このように、軸ズレ平行入射光１１は、ビーム端の光線が出射端で光軸３に漸近しビーム径が絞られるので、出射端に配置された受光面積の小さなＰＤやＡＰＤなどの受光素子４にも無駄なく結合される。
【００４９】
したがって、本実施の形態１の受光モジュール９を用いると、受光モジュール９の光軸３に対して小さな角度で入射する光を全反射させずに受光素子４に受光させるとともに、受光モジュール９の光軸３に対して大きな角度で入射する光も全反射させずに受光素子４に受光させることができる。したがって、受光角の角度分布を有する光が入射した場合でも、受光素子４までの光路長にバラツキ（モード分散）が生じないので、１Ｇｂｐｓ以上の高速伝送が可能となる。
【００５０】
図２に、屈折率分布定数ｇ（ｚ）を定数、多項式、指数関数とした場合の、それぞれの軸ズレ入射平行光の軌跡のシミュレーション結果を示す。
【００５１】
図２に示す各グラフは、横軸が、左端の縦軸の位置を入射面として、入射面から入射した光の伝搬距離を示している。そして、左端の縦軸の位置が、入射面に入射する各入射ビームの位置を示している。つまり、図２に示す各曲線は、グラフの左端に示す入射面の左側から、入射面の各位置に入射した光が進行していくそれぞれの軌跡を示している。
【００５２】
図２より、軸ズレ入射の場合はモード分散のためにレンズのように各光線が光軸上の一点に集光することは無いが、ｇ（ｚ）を大きくすることにより各光線の軌跡の範囲で決まるビーム径が入射ビーム径よりも小さくなることがわかる。
【００５３】
ｇ（ｚ）が一定の場合は入射時から一定の小さなビーム径になるのに対し、多項式や指数関数的にｇ（ｚ）を伝播にしたがって大きくする場合は、ｇ（ｚ）が大きくなるにしたがってビーム径が小さくなることがわかる。ただし、ビーム径はｇ（ｚ）で決まるので、定数の場合であっても指数関数の場合の入射端でのｇ（Ｌ）を使用すれば、指数関数と同じビーム径が得られる。しかし、プロセス上、大きな受光面積が必要な入射端で最初から大きなｇ（０）を得るのは困難なので、同じ屈折率差で伝播方向に断面形状を小さくするのが作製上好ましい。
【００５４】
なお、特許文献２の集光器２１０のように動径方向の屈折率を一定とした場合でも入射端から出射端に向かって断面を小さくすることで、側面での全反射でビーム径を小さくすることができるが、その場合には、本実施の形態１のような屈折率分布を有する場合よりもモード分散が大きくなるので、本実施の形態１の受光モジュールに比べて高速伝送ができない。
【００５５】
このように、動径方向には光軸３からの距離に従って放物線状に低下する屈折率分布を有し、伝搬方向には、その動径方向に放物線状に変化する変化率が増加する屈折率分布を有する屈折率分布型集光器８の出射端に受光素子４を接するように配置することで、広い受光角範囲で軸ズレ入射光を受光素子４の位置に受光素子４の大きさまでビーム径を集光させ、かつモード分散も低減できる光学系を構成できる。
【００５６】
なお、屈折率分布型集光器８内に屈折率分布を形成する材料としてポリシランなどが挙げられる。
【００５７】
（実施の形態２）
図３は、本発明の実施の形態２の受光モジュールの構成概要図を示している。
【００５８】
図３（ａ）は、本実施の形態２の受光モジュールの断面図を、図３（ｂ）は、図３（ａ）のＡ−Ｂ断面図を、図３（ｃ）は、伝搬距離ｚとその位置における断面の屈折率分布の関係を、それぞれ示している。なお、図１と同じ構成部分には、同じ符号を用いている。
【００５９】
本実施の形態２の受光モジュール３０は、屈折率が動径方向に光軸からの距離に従って放物線状に低下し、その動径方向に光軸からの距離に従って低下する屈折率の変化が伝搬方向に沿って急激になっていき、全ての光軸部分と動径方向円周部との屈折率差が伝播方向にほぼ一定に保存されるコア部と、コア部の周囲のクラッド部で構成される集光器を具備している。
【００６０】
本実施の形態２の受光モジュール３０が備える外形一定屈折率分布型集光器１５は、図３（ａ）に示すように、実施の形態１の伝播方向に断面が小さくなる屈折率分布型集光器８をコア部分１３とし、そのコア部１３の周囲を屈折率が一定のクラッド部１４が覆っており、外径が、取り付けられるハウジングの特性の形状になっている。
【００６１】
したがって、コア部１３は、光軸３を軸とする回転体である。なお、コア部１３が、本発明の集光体の一例にあたる。
【００６２】
なお、図３（ａ）および図３（ｂ）では、受光モジュール３０の外径、すなわちクラッド部１４の外形を一定の円柱構造としているが、受光モジュールを保持するためのハウジングの形状に合わせて任意形状にすることができる。
【００６３】
このように、本実施の形態２の受光モジュール３０では、光学系を決めるコア部１３の形状と保持のためのクラッド部１４の形状を独立に設計することで、ハウジングの形状に依存せず光学系を自由に設計することができる。
【００６４】
（実施の形態３）
図４は、本発明の実施の形態３の受光モジュールの構成断面図を示している。
【００６５】
本実施の形態３の受光モジュール３１は、図４に示すように、実施の形態１の入射端面を曲面にした例である。なお、図１と同じ構成部分には、同じ符号を用いている。
【００６６】
図４に示すように、本実施の形態３の受光モジュール３１は、屈折率分布型集光器８の入射端面に接して入射曲面１６が配置されている。入射曲面１６は凸レンズであり、そのレンズ光軸が、屈折率分布型集光器８の光軸３に重なるように配置されている。
【００６７】
このように、入射面を曲面にすると、平面の場合に比べて境界面での屈折が光軸３方向、すなわち軸ズレが緩和する方向に屈折するので、より広角の受光が可能となる。
【００６８】
図５は、本発明の実施の形態３の他の構成の受光モジュールの構成断面図を示している。
【００６９】
図５に示す本実施の形態３の受光モジュール３２は、実施の形態１の出射端面を曲面にした例である。なお、図１と同じ構成部分には、同じ符号を用いている。
【００７０】
図５に示すように、本実施の形態３の受光モジュール３２は、屈折率分布型集光器８の出射端面に接して出射曲面２６が配置されている。出射曲面２６は凸レンズであり、そのレンズ光軸が、屈折率分布型集光器８の光軸３に重なるように配置されている。
【００７１】
このように、出射面を曲面にすると、平面の場合に比べて出射方向をより光軸３に近接するように屈折させるので、受光素子４への集光面積をより小さくすることができる。
【００７２】
本実施の形態３のように、屈折率分布型集光器の入射端面あるいは出射端面に曲面を形成させることにより受光角度を大きくできるので、受光レベルを改善できる。また、より小さな動径方向の屈折率差で受光角度を維持させることも可能である。
【００７３】
（実施の形態４）
図６は、本発明の実施の形態４の受光モジュールの構成概要図を示している。
【００７４】
図６（ａ）は、本実施の形態４の受光モジュールの断面図を、図６（ｂ）は、図６（ａ）のＡ−Ｂ断面図を、それぞれ示している。なお、図１と同じ構成部分には、同じ符号を用いている。
【００７５】
本実施の形態４の受光モジュール３３は、動径方向と伝搬方向にステップ状に屈折率が変化する屈折率分布型集光器を具備している。図６は、屈折率分布型集光器内の屈折率分布を、一定屈折率の材料を使用して階段状に形成させた例を示している。
【００７６】
本実施の形態４は、図６（ａ）に示すように、階段状屈折率分布型集光器１７を備えている。階段状屈折率分布型集光器１７は、動径方向には図６（ｂ）に示すように一定屈折率材料を同心円状に巻きつけ、伝播方向には、図６（ａ）に示すように同心円状の階段状屈折率分布１８集光部分の動径方向の屈折率が大きくなるように接続された構成を有している。なお、これらの階段状の屈折率変化は、動径方向と伝播方向に依らず段数が多いほど光線軌跡が滑らかになるので好ましい。また、実施の形態１のような外径が変化する場合にも応用ができる。
【００７７】
なお、階段状の屈折率変化とは、本発明の段階的な屈折率の変化の一例である。また、図６（ｂ）に示す、同心円状に巻きつけた各一定屈折率材料が、本発明の、光軸を中心とするリング状の複数の層の一例である。また、階段状屈折率分布型集光器１７の、屈折率が変化する部分（図６（ａ）の点線で囲んだ円錐台形状の部分）が、本発明の集光体の一例にあたる。
【００７８】
本実施の形態４の受光モジュールでは、一定屈折材料を積層することにより、屈折率分布型集光器に使用できる材料を屈折率分布が形成可能な材料に限定する必要が無くなるので、透過率やフィルターの機能など光学的により好ましい材料を選択することができる。
【００７９】
なお、実施の形態１〜４の受光モジュールの受光素子４はＰＤやＡＰＤなどを含み、各屈折率分布型集光器の出射端がこれらのＰＤやＡＰＤの活性層にほぼ接するように配置すると、より受光レベルが上がるので好ましい。また、各実施の形態の屈折率分布型集光器の入射端に接して、あるいは、出射端と受光素子４間に特定の波長のみを透過するフィルターを具備することも可能である。
【００８０】
（実施の形態５）
図７は、本発明の実施の形態５の受光モジュールを備えた光空間伝送装置の構成図を示している。図７（ａ）は、本実施の形態５の光空間伝送装置の上面から見た構成図を、図７（ｂ）は、本実施の形態５の光空間伝送装置２台の配置図を、それぞれ示している。
【００８１】
本実施の形態５の光空間伝送装置４０は、図７（ａ）に示すように、基台４２の上に固定されており、箱型の筐体４１の中に、発光ユニット４３と受光ユニット４６を備えている。
【００８２】
発光ユニット４３の前面には平板レンズ４５が取り付けられており、平板レンズ４５の光軸上のほぼ焦点位置となる平板４９の中央に、発光素子４４が取り付けられている。
【００８３】
また、受光ユニット４６には、受光ユニット４６前面に入射端面が向く位置に受光モジュール４８が配置されている。この受光モジュール４８は、実施の形態１で示した受光モジュール９である。受光モジュール４８の光軸上で、受光モジュール４８の出射端面に接して、平板５０の中央に受光素子４７が取り付けられている。
【００８４】
このような構成の２台の光空間伝送装置４０が、図７（ｂ）に示すように、空間を隔てて向かい合うように設置されて使用される。
【００８５】
一方の光空間伝送装置４０の平板レンズ４５の中心と発光素子４４が結ぶ直線が、もう一方の光空間伝送装置４０の受光モジュール４８の光軸に合うように、２台の光空間伝送装置４０を設置する。
【００８６】
そして、一方の光空間伝送装置４０の発光素子４４から発射した光が平板レンズ４５によって平行光とされ、その平行光がもう一方の光空間伝送装置４０の受光モジュール４８に入射し集光されて、受光素子４７で受光される。このようにして、２台の光空間伝送装置４０の間で光空間伝送が行われる。
【００８７】
２台の光空間伝送装置４０間で高速伝送を行わせるためには、一方の光空間伝送装置４０の発光ユニット４３から発光される平行光の光軸と、もう一方の光空間伝送装置４０の受光ユニット４６の光軸とを高精度に一致させなければならない。しかし、光空間伝送装置４０を設置する際の取り付け部材の機械的精度のわずかな誤差や、筐体４１の機械的精度のわずかな誤差等のために、これらの光軸を高精度に一致させるのは困難である。
【００８８】
従来の光空間伝送装置では、これらの光軸を高精度に合わせなければならなかったが、本実施の形態５の光空間伝送装置４０は、本発明の受光モジュール４８を備えているため、広い受光範囲で受光できるので、これらの光軸が高精度に一致していなくても高速な光空間伝送を行える。
【００８９】
なお、本実施の形態５では、受光モジュール４８を実施の形態１の受光モジュール９であるとしたが、実施の形態２〜４の受光モジュール３０〜３３を用いても同様の効果が得られる。
【００９０】
以上に説明したように、本発明の受光モジュールは、軸ズレ光によるモード分散を低減する目的で、ＧＲＩＮレンズのように動径方向には光軸からの距離に従って放物線状に低下する屈折率分布を備えさせている。また、ＧＲＩＮレンズの欠点であるレンズのように集光しない軸ズレ光のビーム径を、伝播方向に向かって絞るように集光させる目的で伝搬方向には、動径方向に放物線状に変化する変化率が増加する屈折率分布を備えさせている。これらにより、広い受光角でも受光素子にビームを集光させ、モード分散の無いレンズ（集光器）を具備する受光モジュールを実現している。
【００９１】
本発明の受光モジュールのように、動径方向には光軸からの距離に従って放物線状に低下する屈折率分布を有し、伝搬方向には、その動径方向に放物線状に変化する変化率が増加する屈折率分布を有する屈折率分布型集光器の出射端に受光素子を接するように配置することで、広い受光角範囲で軸ズレ入射光を受光素子の位置に受光素子の大きさまでビーム径を集光させ、かつモード分散も低減できる光学系を構成できる。
【００９２】
以上述べたことから明らかなように、本発明の受光モジュールを用いることにより、可動機構が不要で、広い受光角範囲で高速光空間伝送を可能とする光学系を提供することができる。
【００９３】
また、本発明の受光モジュールは、空間光伝送において軸ズレ光に対して光軸調整を不要とする高速伝送方法として有用である。
【産業上の利用可能性】
【００９４】
本発明にかかる受光モジュールおよび光空間伝送装置は、モード分散を低減して高速伝送ができる効果を有し、高速伝送に用いられる受光モジュールおよび光空間伝送装置等に有用である。
【図面の簡単な説明】
【００９５】
【図１】（ａ）本発明の実施の形態１の受光モジュールの断面図、（ｂ）本発明の実施の形態１の受光モジュールのＡ−Ｂ断面図、（ｃ）本発明の実施の形態１の受光モジュールにおける、伝搬距離ｚとその位置における断面の屈折率分布の関係を示す図
【図２】本発明の実施の形態１の受光モジュールにおける、軸ズレ入射平行光の軌跡のシミュレーション結果を示す図
【図３】（ａ）本発明の実施の形態２の受光モジュールの断面図、（ｂ）本発明の実施の形態２の受光モジュールのＡ−Ｂ断面図、（ｃ）本発明の実施の形態２の受光モジュールにおける、伝搬距離ｚとその位置における断面の屈折率分布の関係を示す図
【図４】本発明の実施の形態３の受光モジュールの構成断面図
【図５】本発明の実施の形態３の、他の構成の受光モジュールの構成断面図
【図６】（ａ）本発明の実施の形態４の受光モジュールの断面図、（ｂ）本発明の実施の形態４の受光モジュールのＡ−Ｂ断面図
【図７】（ａ）本発明の実施の形態５の光空間伝送装置の上面から見た構成図、（ｂ）本発明の実施の形態５の光空間伝送装置の配置図
【図８】（ａ）従来の光アンテナの側面図、（ｂ）従来の光アンテナの集光器内の屈折率構成を説明する図
【符号の説明】
【００９６】
１  光源
２  自由空間
３  光軸
４  受光素子
５  光軸からの距離（ｒ）
６  伝播距離（ｚ）
７  外周縁
８  屈折率分布型集光器
９、３０、３１、３２、３３  受光モジュール
１０  入射角θ
１１  軸ズレ平行入射光
１２  ビーム軌跡
１３  コア部
１４  クラッド部
１５  外径一定屈折率分布型集光器
１６  入射曲面
１７  階段状屈折率分布型集光器
１８  動径方向の階段状屈折率分布
１９  伝播方向の階段状屈折率分布
２６  出射曲面
４０  光空間伝送装置
４１  筐体
４２  基台
４３  発光ユニット
４４  発光素子
４５  平板レンズ
４６  受光ユニット
４７  受光素子
４８  受光モジュール
４９、５０  平板
【図２】
2007214292.tif 000007
【図３】
2007214292.tif 000008
【図５】
2007214292.tif 000009
【図６】
2007214292.tif 000010
【図８】
2007214292.tif 000011
【図１】
2007214292.tif 000012
【図４】
2007214292.tif 000013
【図７】
2007214292.tif 000014